(57)【要約】  【課題】可視光線領域内の波長を発光する発光ダイオードを冷蔵庫等の庫内照明として使用する場合に、発光ダイオードの指向性を踏まえて冷蔵庫内を効率よく極力均一に照明する。  【解決手段】照明装置１１２は、可視光線領域内の波長を発光する発光ダイオード１１１を実装した実装基板１１３を庫内の棚１１０より前方の両側壁面に配設し、両側壁面より照射される発光ダイオード１１１の照射範囲を併せて１１０棚の面上全体を包含する照射範囲となるように発光ダイオード１１１の照射方向と照射角度を定めたものであり、収納物の前方両側面からの照射範囲を併せることで棚１１０の全平面上を照射範囲としてほぼ覆う形で広範囲に照射でき、使用者が扉側前方から見たときに、棚１１０上のいずれの位置に載置された収納物に対しても影が生じにくく、指向性のあるくっきりした照明効果を安定的に得ることができ、収納物の視認性を向上することができる。【選択図】図７
2008070080.tif 000002
【特許請求の範囲】
【請求項１】
冷蔵庫内を上下に仕切る棚と、前記冷蔵庫内を照射する照明装置とを備え、前記照明装置は、可視光線領域内の波長を発光する発光ダイオードを実装した実装基板を前記冷蔵庫内の前記棚より前方の両側壁面に配設し、前記両側壁面より照射される前記発光ダイオードの照射範囲を併せて前記棚の面上全体を包含する照射範囲となるように前記発光ダイオードの照射方向と照射角度を定めた冷蔵庫。
【請求項２】
両側壁面それぞれの前記発光ダイオードの照射範囲は、前記発光ダイオードが配置されている側壁面と対向する側壁面に近接する前記棚の前端面の幅方向の端部と、前記棚の後端面の幅方向の中心部と、を少なくとも含むように定めた請求項１に記載の冷蔵庫。
【請求項３】
両側壁面それぞれの前記発光ダイオードの照射範囲は、照射角度を全角度で４５°以上９０°以下となるように定めた請求項１または２に記載の冷蔵庫。
【請求項４】
両側壁面それぞれの前記発光ダイオードの照射方向は、前記棚の平面上の中心軸に向かって照射方向の中心線が重なるように定めた請求項１から３のいずれか一項に記載の冷蔵庫。
【請求項５】
前記棚を冷蔵庫内の上下方向に複数設け、前記照明装置は、発光ダイオードを複数備え前記複数の棚に跨って冷蔵庫内の上下方向に配置された請求項１から４のいずれか一項に記載の冷蔵庫。
【請求項６】
前記発光ダイオードを前記棚の相互間に対向するように配置し、かつ前記棚を透光性の棚とした請求項５に記載の冷蔵庫。
【発明の詳細な説明】
【技術分野】
【０００１】
本発明は、照明装置を庫内に設置した冷蔵庫に関するものである。
【背景技術】
【０００２】
近年、冷蔵庫内の照明装置として、従来の白熱灯の電球に代わり、発熱性が低い、赤外波長が出ない、低電圧駆動できる等の理由で半導体発行素子を用いるものが提案されている。
【０００３】
半導体発行素子の代表的な例としては、発光ダイオード（ＬＥＤ）が知られ、従来の発光ダイオードを照明装置として利用した冷蔵庫としては、複数の発光ダイオードを矩形面上に配置し、庫内天面に設置して庫内照射しているものがある（例えば、特許文献１参照）。
【０００４】
図８は特許文献１に記載された従来の冷蔵庫の照明装置の斜視図であり、図９は図８の照明装置を冷蔵庫の庫内天面に設置した状態を示す図である。
【０００５】
図８の照明装置１において、実装基板２は矩形状の平板で、一面または両面に回路パターン（図示せず）が形成され、熱伝導性の良好なエポキシ樹脂系の基板や絶縁金属基板を使用する。発光ダイオード（白色ＬＥＤ）３は砲弾状に形成され、ＧａＮ系の青色ＬＥＤからの青色光を用いて蛍光材を励起して白色光を得る構造で、電流を通電する２本の通電端子３が導出される。
【０００６】
断熱板４は、ウレタン等の樹脂により平板状に形成され、複数の挿通孔が並設されて、実装基板２と発光ダイオード３との間に設けられる。ここで、発光ダイオード３は通電端子５が断熱板４の挿通孔に挿通され、実装基板２の回路パターンに半田付けされて実装され、複数個が実装基板２に並設される。尚、発光ダイオード３の発熱量が少ない場合には、断熱板５は廃止しても構わない。
【０００７】
図９において、照明装置１は、扉６により前面を開閉される冷蔵庫７の庫内の天面８に配置されている。
【０００８】
以上のように構成された発光ダイオード３を照明装置として利用した冷蔵庫について、以下その動作を説明する。
【０００９】
まず、冷蔵庫の扉６が閉まっている時には、発光ダイオード３への通電は行なわず、庫内は照射されていない。扉６が開けられると、機械式スイッチやホールＩＣ等の電子式スイッチで開扉状態と判断され、発光ダイオード３に順方向電流が流れて、白色光が発光されて庫内に照射される。
【特許文献１】特開２００１−０８２８６９号公報
【発明の開示】
【発明が解決しようとする課題】
【００１０】
しかしながら、上記従来の構成では、照明装置１が冷蔵庫７の庫内の天面８に配置されるので、発光ダイオード３からの照射が庫内の上方から下方に向けて行われ、冷蔵庫内に庫内を分割する収納棚がある場合、収納棚の下側の保存物の視認性は、収納棚そのものや収納棚上に置かれた収納物により影が発生することにより悪化する。これは、一般家庭用冷蔵庫のように、複数の収納棚を有する場合においては、収納棚が下段になるほど顕著となる。
【００１１】
また、従来用いられている白熱灯等の電球の場合は、庫内の前面側、すなわち扉８側の照明に台所等の冷蔵庫設置空間の照明の寄与を期待したり、組み付け構造の簡素化や作業性のメリットを見込んで、庫内の背面の適所に設置されて庫内の後方から前方に向けて照射されるケースが一般的であるが、この場合は、収納棚上の収納物の背面からの照明となり、収納物の前面が影となるため扉８を開いたときの冷蔵庫７の使用者側からの視認条件はよいものとならず、台所等の冷蔵庫設置空間の照明の寄与を見込んでも、視認性に優れた安定した照明とすることは困難であった。そして、この冷蔵庫内の背面の設置される電球を比較的に指向性のある発光ダイオードに置き換えた場合でも同様の課題を解決するには至らないものである。
【００１２】
このように、冷蔵庫内における照明の配置については、従来用いられてきた白熱灯等の電球、および、近年注目される指向性のある発光ダイオードのいずれを用いた場合でも、庫内の天面や背面に設置されるものであるために、庫内の収納物を扉８側の冷蔵庫前面に立って視認しようとする使用者にとっては収納物に影が生じやすく、明るくてくっきりとした安定的な照明が得られることにはならなかった。
【００１３】
本発明は、上記従来の課題を解決するもので、冷蔵庫の扉側前方から使用者が見たときに、冷蔵庫内の収納物の視認性を安定的に向上させることができる照明装置の構成を有する冷蔵庫を提供することを目的とする。
【課題を解決するための手段】
【００１４】
上記従来の課題を解決するために、本発明の冷蔵庫は、冷蔵庫内を上下に仕切る棚と、前記冷蔵庫内を照射する照明装置とを備え、前記照明装置は、可視光線領域内の波長を発光する発光ダイオードを実装した実装基板を前記冷蔵庫内の前記棚より前方の両側壁面に配設し、前記両側壁面より照射される前記発光ダイオードの照射範囲を併せて前記棚の面上全体を包含する照射範囲となるように前記発光ダイオードの照射方向と照射角度を定めたものである。
【００１５】
これによって、冷蔵庫内の照明として、収納物の前方両側面からの照射範囲を併せることで棚の全平面上を照射範囲としてほぼ覆う形で広範囲に照射でき、天井面や背面に照明装置を配設した場合と比較して、使用者が扉側前方から見たときに、棚上のいずれの位置に載置された収納物に対しても影が生じにくく、指向性のあるくっきりした照明効果を安定的に得ることができ、収納物の視認性を向上することができる。
【発明の効果】
【００１６】
本発明の冷蔵庫は、使用者が扉側前方から見たときに、棚上のいずれの位置に載置された収納物に対しても影が生じにくく、指向性のあるくっきりした照明効果を安定的に発揮して収納物の視認性を向上することができ、使い勝手の向上を図ることができる。また、庫内照明としての意匠性、訴求，演出効果を高めて、付加価値の高い照明機能を備えた冷蔵庫を提供することができる。
【発明を実施するための最良の形態】
【００１７】
請求項１に記載の発明は、冷蔵庫内を上下に仕切る棚と、前記冷蔵庫内を照射する照明装置とを備え、前記照明装置は、可視光線領域内の波長を発光する発光ダイオードを実装した実装基板を前記冷蔵庫内の前記棚より前方の両側壁面に配設し、前記両側壁面より照射される前記発光ダイオードの照射範囲を併せて前記棚の面上全体を包含する照射範囲となるように前記発光ダイオードの照射方向と照射角度を定めたものであり、収納物の前方両側面からの照射範囲を併せることで棚の全平面上を照射範囲としてほぼ覆う形で広範囲に照射でき、使用者が扉側前方から見たときに、棚上のいずれの位置に載置された収納物に対しても影が生じにくく、指向性のあるくっきりした照明効果を安定的に得ることができ、収納物の視認性を向上することができる。
【００１８】
請求項２に記載の発明は、請求項１に記載の発明において、両側壁面それぞれの前記発光ダイオードの照射範囲は、前記発光ダイオードが配置されている側壁面と対向する側壁面に近接する前記棚の前端面の幅方向の端部と、前記棚の後端面の幅方向の中心部と、を少なくとも含むように定めたものであり、両側壁面からの照射範囲が比較的バランスを保った形で重ね合わされ、棚の平面上全体をより均一な照明領域としてカバーすることができる。
【００１９】
請求項３に記載の発明は、請求項１または２に記載の発明において、両側壁面それぞれの前記発光ダイオードの照射範囲は、照射角度を全角度で４５°以上９０°以下となるように定めたものであり、発光ダイオードを棚の前方両側壁面に設けた配置構成において、照射角度が全角度で４５°に近づくと、両側壁面からの照射範囲の重ね合わせで、照射量を極力確保しながら棚の平面上全体を効率よく照明範囲に収めることができ、照射角度が全角度で９０°に近づくと、照射量は小さくなるが片側の照射のみでも棚のほぼ平面上全体に照射範囲が及ぶことになって、両側から照射を重ねれば照射量を補いながら棚平面上に対して比較的均一な照明効果が得られる。
【００２０】
請求項４に記載の発明は、請求項１から３のいずれか一項に記載の発明において、両側壁面それぞれの前記発光ダイオードの照射方向は、前記棚の平面上の中心軸に向かって照射方向の中心線が重なるように定めたものであり、両側壁面それぞれの発光ダイオードの照射方向が使用頻度の高い棚の中央領域の照明量を効果的に確保する方向とされ、その中心軸の左右の照射範囲の広がりを利用して棚の平面上全体を照明範囲としてカバーすることができる。
【００２１】
請求項５に記載の発明は、請求項１から４のいずれか一項に記載の発明において、前記棚を冷蔵庫内の上下方向に複数設け、前記照明装置は、発光ダイオードを複数備え前記複数の棚に跨って冷蔵庫内の上下方向に配置されたものであり、多段に渡って視認性の高いより均一な照明効果が発揮でき、収納物の出し入れや確認等の使い勝手の向上を図ることができる。
【００２２】
請求項６に記載の発明は、請求項５に記載の発明において、前記発光ダイオードを前記棚の相互間に対向するように配置し、かつ前記棚を透光性の棚としたものであり、各段棚上に載置される収納物に対して効果的に照射でき、また、透光性の棚を通じて棚相互間で上下からの光の透過による照射量補充が期待できるために、一層視認性が高く均一な庫内照明が提供できる。
【００２３】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２４】
（実施の形態１）
図１は、本発明の実施の形態１における冷蔵庫の正面図である。図２は、同実施の形態における冷蔵庫の扉を開放した斜視図である。図３は、同実施の形態における冷蔵庫の縦断面図である。図４は、同実施の形態における冷蔵庫の照明装置の平面断面図である。図５は、同実施の形態における冷蔵庫の照明装置の奥側から見た縦断面図である。図６は、同実施の形態における冷蔵庫の発光ダイオードの指向特性図である。図７は、同実施の形態における冷蔵庫の照明装置の照射状態を示す庫内の平面断面図である。
【００２５】
冷蔵庫の断熱箱体１０１は複数の断熱区画に区分されており最上部断熱区画の扉を回転式、それ以外の断熱区画の扉を引き出し式とする構成としている。すなわち、最上部から回転式扉（本実施の形態では、観音開き式扉）を有する冷蔵室１０２、その下部に、左右方向に並べて設けた引き出し式の扉を有する製氷室１０３および特定冷却室１０４、その下部に引き出し式の扉を有する野菜室１０５、さらに、その下部に引き出し式の冷凍室１０６を配置している。
【００２６】
冷蔵室の扉としての回転式扉１０７には複数の収納ポケット（扉棚）１０８が扉内箱１０９に収納スペースとして設けられており、室内には上下方向に複数の棚１１０が冷蔵室１０２内を上下方向の複数の段に仕切るように設けられている。棚１１０は透明樹脂製など、透光性の棚としている。
【００２７】
可視光線領域内の波長を発光する発光ダイオード１１１を備えた照明装置１１２は、冷蔵室１０２の庫内前面から見て、棚１１０の前端部より前方で扉内箱１０９の先端部より後方である区間Ｄの間に位置する左側壁面と右側壁面との両側壁面にそれぞれ棚１１０に跨って縦方向に配設されている。そして、発光ダイオード１１１は上下方向に複数備えられ、各棚１１０の相互間のスペースに対向するよう設置されている。
【００２８】
次に、照明装置１１２について詳細に説明する。
【００２９】
実装基板１１３は平板状の縦長形状で、一面または両面に回路パターン（図示せず）が形成され、熱伝導性の良好なエポキシ樹脂系の基板や絶縁金属基板を使用される。発光ダイオード１１１は本実施の形態では砲弾状のものを用いるが、これに限らない。そして、ＧａＮ系の青色ＬＥＤからの青色光を用いて蛍光材を励起して白色光を得る構造としている。ここで、発光ダイオード１１１は実装基板１１３の回路パターンに半田付けされて実装され、縦方向に複数個が実装基板１１３に並設される。
【００３０】
縦方向に複数個の発光ダイオード１１１が実装された実装基板１１３は、断面略台形状の支持部材１１４に取り付けたスペーサー１１５と爪１１６によって保持されている。支持部材１１４は、冷蔵室両側壁面の内箱１１７の開口した孔１１８の周りに設けた段部１１９と、支持部材の発光ダイオード１１１が収容される凹部１２０の周りに設けた段部１２１と、を重ね合わせて発泡断熱材１２３が充填される内箱１１７の裏面側から固定し、ランプカバー１２２の外周面を段部１２１にさらに重ねて、極力庫内側に照明装置が突出しないように取り付けられている。
【００３１】
ここで、発光ダイオード１１１は、実装基板１１３を介して凹部１２０内においてスペーサー１１５を台座として取り付けられるが、庫内後方への所望の照射方向と照射範囲とを考慮してスペーサー１１５の角度で発光ダイオードの取り付け角度が調整されており、支持部材のスペーサー１１５の取り付け部が極力手前側になるように配置されている。
【００３２】
支持部材１１４は断熱壁内側より組み込み発泡断熱材１２３により固定されている。これにより、各段部１１９，１２１により支持部材１１４の位置決めが容易であり、製造工程において支持部材１１４を容易に組み込むことができる。尚、支持部材１１４を冷蔵室の内箱１１７に組み込む際、発泡断熱材１２３注入時の漏れ防止として周囲をテープで仮止めするとなお確実に組み込むことができる。
【００３３】
また、実装基板１１３の下部にコネクタ１２４を、コネクタ接続方向は下から上となるように配設し、ハーネス１２５を実装基板１１３下部のから支持部材１１４内に出し、下方向からコネクタ１２４に接続している。これにより、コネクタ１２４の基板上からの高さを極力抑えることができ、照明装置１１２をコンパクトにできる。また、コネクタ１２４の接続方向は下から上とすることで万一照明装置１１２内に水が浸入したり、基板が結露した場合にも、コネクタ１２４に水が溜まることがなく、接触不良等の故障の原因がない仕様である。
【００３４】
また、冷蔵室１０２の両側壁中には発泡断熱材１２３と複合的に真空断熱材１２６が配設されている。
【００３５】
真空断熱材１２６は、外箱１２６ａ側に接着部材（図示せず）を用いて密着貼付けされている。また、真空断熱材１２６は断熱箱体１０１の璧厚内に配設するために薄い平面形状のものが必要となる。さらに、ホットメルトなどの接着部材は接着部に空気が混入しないように真空断熱材１２６の貼付け面に全面塗布されている。真空断熱材１２６は発泡断熱材１２３と一体に発泡されて断熱箱体１０１を構成しており、発泡断熱材１２３と比べて５倍〜２０倍の断熱性能を有している。
【００３６】
これにより、冷蔵室側壁の断熱壁厚をできる限り少なくでき、冷蔵室の大容量化が図れる。
【００３７】
なお、真空断熱材１２６を、第１，第２，第３の区画壁１２７，１２８，１２９及び背面内に必要に応じて挿入してもよい。
【００３８】
また、真空断熱材１２６の芯材には、無機材料としてのガラス繊維やパーライト，シリカ等の比重の大きい材料を用いる。発泡断熱材１２３（硬質発泡ウレタン）の密度が２０〜５０ｋｇ／ｍ３であるのに対して真空断熱材１２６の密度は２００〜２５０ｋｇ／ｍ３と少なくとも４倍以上とすることができる。
【００３９】
ランプカバー１２２は、エポキシ、アクリル、ポリカーボネート、ポリエチレン、ポリスチレン、ポリプロピレンなどの透明樹脂のうち、一つの材料もしくは複合材料をベース材として形成されており、発光ダイオード１１１の発光部全体を覆うように支持部材１１４の周囲のリブ１３０に、冷蔵室の内箱１１７一平面になるように固定されている。
【００４０】
図６は、発光ダイオード１１１の光の照射方向に関する指向性を示したグラフである。照射方向を垂直方向とすると照射される範囲は線内であり、たとえば照射量１／２では照射角は、Ｅの如く左右各３０°である。
【００４１】
次に、冷蔵室１０２内において、特に棚１１０上の収容物に対して照明の範囲がどのように及ぶようにしているかについて述べる。
【００４２】
図７において、照明装置１１２は、可視光線領域内の波長を発光する発光ダイオード１１１を実装した実装基板１１３を棚１１０より前方の両側壁面に配設し、両側壁面より照射される発光ダイオード１１１の照射範囲を併せて棚１１０の面上全体を包含する照射範囲となるように発光ダイオード１１１の照射方向と照射角度を定めている。
【００４３】
また、両側壁面それぞれの発光ダイオード１１１の照射範囲は、発光ダイオード１１１が配置されている側壁面と対向する側壁面に近接する前記棚の前端面の幅方向の端部と、前記棚の後端面の幅方向の中心部と、を少なくとも含むように定めている。
【００４４】
また、両側壁面それぞれの発光ダイオード１１１の照射範囲は、照射角度を全角度で４５°以上９０°以下となるように定めている。
【００４５】
また、両側壁面それぞれの発光ダイオード１１１の照射方向は、棚１１０の平面上の中心軸に向かって照射方向の中心線が重なるように定めている。
【００４６】
そして、実装基板１１３上の発光ダイオード１１１は、冷蔵室の棚１１０の中心に向かって照射するようにスペーサー１１５と爪１１６によって保持され、庫内を満遍なく照射できるようしている。尚冷蔵庫庫内を満遍なく照射する発光ダイオード１１１の照射方向は、冷蔵庫の奥行き寸法と幅寸法により微妙に変わることから、発光ダイオード１１１からの照射量が１／２である６０°の角度を持った扇型の照射範囲（照射範囲Ｌ、Ｒ）が、棚１１０の最も離れた前端部に照射できるように、実装基板１１３の保持角度を決定するほうが良い。
【００４７】
以上のように構成された冷蔵庫について、以下その動作、作用を説明する。
【００４８】
回転式扉１０７は観音開き式の両開き扉１０８とすることによって、冷蔵室１０２の大容量化に対しても、扉の開閉負担が半減近くまで軽減され、かつ、扉１０７の開放に伴う前方スペースの確保が小さくて済み、大容量化されても冷蔵庫の実質占有スペースをコンパクトに抑えることができる。
【００４９】
冷蔵庫の扉１０７が閉まっている時には、発光ダイオード１１１への通電は行なわず、庫内は照射されていない。２枚の扉１０７のどちらか一方の扉１０７が開けられると、冷蔵室１０２内の左右の両側壁面に配設している照明装置１１２内の発光ダイオード１１１に順方向電流が流れて、白色光が発光される。
【００５０】
発光ダイオード１１１から発光された白色光は、ランプカバー１２２に進光して、庫内に照射されるが、収納物の前方両側面からの照射範囲を併せることで棚の全平面上を照射範囲としてほぼ覆う形で効率よく広範囲に照射でき、使用者が扉側前方から見たときに、棚上のいずれの位置に載置された収納物に対しても影が生じにくく、指向性のあるくっきりした照明効果を安定的に得ることができ、収納物の視認性を向上することができる。
【００５１】
また、発光ダイオード１１１が配置されている側壁面と対向する側壁面に近接する前記棚の前端面の幅方向の端部と、前記棚の後端面の幅方向の中心部と、を少なくとも含むように定めているので、両側壁面からの照射範囲が比較的バランスを保った形で重ね合わされ、棚の平面上全体をより均一な照明領域としてカバーすることができる。
【００５２】
また、両側壁面それぞれの発光ダイオード１１１の照射範囲は、照射角度を全角度で４５°以上９０°以下となるようにしているので、発光ダイオード１１１を棚１１０の前方両側壁面に設けた配置構成において、照射角度が全角度で４５°に近づくと、両側壁面からの照射範囲の重ね合わせで、照射量を極力確保しながら棚１１０の平面上全体を効率よく照明範囲に収めることができ、照射角度が全角度で９０°に近づくと、照射量は小さくなるが片側の照射のみでも棚１１０のほぼ平面上全体に照射範囲が及ぶことになって、両側から照射を重ねれば照射量を補いながら棚平面上に対して比較的均一な照明効果が得られる。
【００５３】
また、両側壁面それぞれの発光ダイオード１１１の照射方向は、１１０棚の平面上の中心軸に向かって照射方向の中心線が重なるように定めているので、使用頻度の高い棚の中央領域の照明量を効果的に確保しながら、棚１１０の平面上全体に渡る照明を中心軸の左右の照明範囲の広がりでカバーすることができる。
【００５４】
また、棚１１０を冷蔵室１０２内の上下方向に複数設け、実装基板１１３を縦方向に配設して複数の発光ダイオード１１１を複数の棚１１０に跨って上下方向に配置することにより、多段に渡って視認性の高いより均一な照明効果が発揮でき、収納物の出し入れや確認等の使い勝手の向上を図ることができる。
【００５５】
また、ランプカバー１２２に光拡散性を持つ材料を含有することにより、指向性のある発光ダイオード１１１の発光をランプカバー１２２で拡散させて庫内を照射させるので、食品等の保存物に均一な白色光が当たり視覚的な照射ムラがなくせ、更に照明の演出性を高めることができる。
【００５６】
また、ランプカバー１２２を、エポキシ、アクリル、ポリカーボネート、ポリエチレン、ポリスチレン、ポリプロピレンなどの透明樹脂のうち、一つの材料もしくは複合材料をベース材として形成することにより、ランプカバー１２２を自由な形状に成型加工できるので、容易な取り付け設計が可能になり、庫内の最適な任意の位置に照明装置が設置できる。
【００５７】
また、断熱壁を形成する内箱１１７とランプカバー１２２は、同一平面となっているので、使用者が棚１１０の位置変えや、清掃時に１１０棚の移動が容易にでき、また庫内に突出していないので見栄え上も良い。
【００５８】
また、支持部材１１４は、実装基板１１３を保持している辺より、他の辺が長い略台形であり、支持部材１１４の高さ寸法を極力抑えることができ、必要断熱壁を確保し支持部材１１４の結露を防止できる。さらに、実装基板１１３を保持していない辺を長く取ることで庫内に支持部材１１４の影が映らなく保存物の視認性をさらに向上することができる。
【００５９】
なお、本実施の形態のように発光ダイオード１１１を棚１１０の相互間に対向するような位置に存在し、かつ棚１１０を透明樹脂製などの透光性の棚とすれば、各段の棚上に載置される収納物に対して効果的に照射でき、また、透光性の棚１１０を通じて棚相互間で上下からの光の透過による照射量補充が期待できるために、一層視認性が高く均一な庫内照明が提供できる。
【産業上の利用可能性】
【００６０】
以上のように、本発明にかかる冷蔵庫は、家庭用又は業務用冷蔵庫に発光ダイオードの照明を適用する場合に実施することはもちろん、扉のある物品貯蔵装置など発光ダイオード照明を適用する幅広い設備機器に応用できるものである。
【図面の簡単な説明】
【００６１】
【図１】本発明の実施の形態１における冷蔵庫の正面図
【図２】同実施の形態の冷蔵庫の扉を開放した斜視図
【図３】同実施の形態の冷蔵庫の縦断面図
【図４】同実施の形態の冷蔵庫の照明装置の要部平面断面図
【図５】同実施の形態の冷蔵庫の照明装置の奥側から見た要部縦断面図
【図６】同実施の形態の冷蔵庫の照明装置の発光ダイオードの指向特性図
【図７】同実施の形態の冷蔵庫の照明装置の照射状態を示す冷蔵室の平面断面図
【図８】従来の照明装置の斜視図
【図９】従来の照明装置を冷蔵庫の庫内天面に設置した状態を示す斜視図
【符号の説明】
【００６２】
１０１  断熱箱体
１０２  冷蔵室
１１０  棚
１１１  発光ダイオード
１１２  照明装置
１１３  実装基板
１１４  支持部材
１１５  スペーサー
１１７  内箱
１２０  凹部
１２３  発泡断熱材
【図１】
2008070080.tif 000003
【図２】
2008070080.tif 000004
【図３】
2008070080.tif 000005
【図４】
2008070080.tif 000006
【図５】
2008070080.tif 000007
【図６】
2008070080.tif 000008
【図７】
2008070080.tif 000009
【図８】
2008070080.tif 000010
【図９】
2008070080.tif 000011
【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
扉内箱に扉棚を設けた回転式の扉と、冷蔵庫内を上下に仕切る棚と、前記冷蔵庫内を照射する照明装置とを備え、前記照明装置は、可視光線領域内の波長を発光する発光ダイオードを実装した実装基板を前記冷蔵庫内の前記棚より前方であって前記扉内箱の先端より後方である区間の両側壁面の断熱材中の凹部に庫内後方に向け角度を持たせて配設し、前記両側壁面より照射される前記発光ダイオードの照射範囲を併せて前記棚の面上全体を包含する照射範囲となるように前記発光ダイオードの照射方向と照射角度を定めた冷蔵庫。
【請求項２】
前記回転式の扉を観音開き式扉とし、左右いずれか一方の扉を開けると、左右両側壁の前記照明装置が点灯するようにした請求項１に記載の冷蔵庫。
【請求項３】
両側壁面それぞれの前記発光ダイオードの照射範囲は、前記発光ダイオードが配置されている側壁面と対向する側壁面に近接する前記棚の前端面の幅方向の端部と、前記棚の後端面の幅方向の中心部と、を少なくとも前記発光ダイオードの照射角度６０°の範囲内に含むように定めた請求項１または２に記載の冷蔵庫。
【請求項４】
両側壁面それぞれの前記発光ダイオードの照射方向は、前記棚の平面上の中心軸に向かって照射方向の中心線が重なるように定めた請求項１から３のいずれか一項に記載の冷蔵庫。
【請求項５】
前記棚を冷蔵庫内の上下方向に複数設け、前記照明装置は、発光ダイオードを複数備え前記複数の棚に跨って冷蔵庫内の上下方向に配置された請求項１から４のいずれか一項に記載の冷蔵庫。
【請求項６】
前記発光ダイオードを前記棚の相互間に対向するように配置し、かつ前記棚を透光性の棚とした請求項５に記載の冷蔵庫。
【手続補正２】
【補正対象書類名】明細書
【補正対象項目名】００１４
【補正方法】変更
【補正の内容】
【００１４】
上記従来の課題を解決するために、本発明の冷蔵庫は、扉内箱に扉棚を設けた回転式の扉と、冷蔵庫内を上下に仕切る棚と、前記冷蔵庫内を照射する照明装置とを備え、前記照明装置は、可視光線領域内の波長を発光する発光ダイオードを実装した実装基板を前記冷蔵庫内の前記棚より前方であって前記扉内箱の先端より後方である区間の両側壁面の断熱材中の凹部に庫内後方に向け角度を持たせて配設し、前記両側壁面より照射される前記発光ダイオードの照射範囲を併せて前記棚の面上全体を包含する照射範囲となるように前記発光ダイオードの照射方向と照射角度を定めたものである。
【手続補正３】
【補正対象書類名】明細書
【補正対象項目名】００１５
【補正方法】変更
【補正の内容】
【００１５】
これによって、回転式扉を備えた冷蔵庫内の照明として、収納物の前方両側面からの照射範囲を併せることで棚の全平面上を照射範囲としてほぼ覆う形で広範囲に照射でき、天井面や背面に照明装置を配設した場合と比較して、使用者が扉側前方から見たときに、棚上のいずれの位置に載置された収納物に対しても影が生じにくく、指向性のあるくっきりした照明効果を安定的に得ることができ、収納物の視認性を向上することができる。
【手続補正４】
【補正対象書類名】明細書
【補正対象項目名】００１７
【補正方法】変更
【補正の内容】
【００１７】
請求項１に記載の発明は、扉内箱に扉棚を設けた回転式の扉と、冷蔵庫内を上下に仕切る棚と、前記冷蔵庫内を照射する照明装置とを備え、前記照明装置は、可視光線領域内の波長を発光する発光ダイオードを実装した実装基板を前記冷蔵庫内の前記棚より前方であって前記扉内箱の先端より後方である区間の両側壁面の断熱材中の凹部に庫内後方に向け角度を持たせて配設し、前記両側壁面より照射される前記発光ダイオードの照射範囲を併せて前記棚の面上全体を包含する照射範囲となるように前記発光ダイオードの照射方向と照射角度を定めたものであり、収納物の前方両側面からの照射範囲を併せることで棚の全平面上を照射範囲としてほぼ覆う形で広範囲に照射でき、使用者が扉側前方から見たときに、棚上のいずれの位置に載置された収納物に対しても影が生じにくく、指向性のあるくっきりした照明効果を安定的に得ることができ、収納物の視認性を向上することができる。
請求項２に記載の発明は、請求項１に記載の発明において、前記回転式の扉を観音開き式扉とし、左右いずれか一方の扉を開けると、左右両側壁の前記照明装置が点灯するようにしたものであり、影が生じにくく、指向性のあるくっきりした照明効果を安定的に得ることができる。
【手続補正５】
【補正対象書類名】明細書
【補正対象項目名】００１８
【補正方法】変更
【補正の内容】
【００１８】
請求項３に記載の発明は、請求項１または２に記載の発明において、両側壁面それぞれの前記発光ダイオードの照射範囲は、前記発光ダイオードが配置されている側壁面と対向する側壁面に近接する前記棚の前端面の幅方向の端部と、前記棚の後端面の幅方向の中心部と、を少なくとも前記発光ダイオードの照射角度６０°の範囲内に含むように定めたものであり、両側壁面からの照射範囲が比較的バランスを保った形で重ね合わされ、棚の平面上全体をより均一な照明領域としてカバーすることができる。
【手続補正６】
【補正対象書類名】明細書
【補正対象項目名】００１９
【補正方法】削除
【補正の内容】
【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
扉内箱を庫内側に突出させて扉棚を設けた回転式の扉と、冷蔵庫内を上下に仕切る棚と、前記冷蔵庫内を照射する照明装置とを備え、前記照明装置は、可視光線領域内の波長を発光する発光ダイオードを実装した実装基板を前記冷蔵庫内の前記棚より前方であって前記扉内箱の庫内側に突出した先端部より後方である区間の両側壁面の断熱材中の凹部に庫内後方に向け角度を持たせて配設し、前記両側壁面より照射される前記発光ダイオードの照射範囲を併せて前記棚の面上全体を包含する照射範囲となるように前記発光ダイオードの照射方向と照射角度を定め、かつ前記回転式の扉を観音開き式扉とし、左右いずれか一方の扉を開けると、左右両側壁の前記照明装置がいずれも点灯するようにした冷蔵庫。
【請求項２】
両側壁面それぞれの前記発光ダイオードの照射範囲は、前記発光ダイオードが配置されている側壁面と対向する側壁面に近接する前記棚の前端面の幅方向の端部と、前記棚の後端面の幅方向の中心部と、を少なくとも前記発光ダイオードの照射角度６０°の範囲内に含むように定めた請求項１に記載の冷蔵庫。
【請求項３】
両側壁面それぞれの前記発光ダイオードの照射方向は、前記棚の平面上の中心軸に向かって照射方向の中心線が重なるように定めた請求項１または２に記載の冷蔵庫。
【請求項４】
前記棚を冷蔵庫内の上下方向に複数設け、前記照明装置は、発光ダイオードを複数備え前記複数の棚に跨って冷蔵庫内の上下方向に配置された請求項１から３のいずれか一項に記載の冷蔵庫。
【請求項５】
前記発光ダイオードを前記棚の相互間に対向するように配置し、かつ前記棚を透光性の棚とした請求項４に記載の冷蔵庫。
【手続補正２】
【補正対象書類名】明細書
【補正対象項目名】００１４
【補正方法】変更
【補正の内容】
【００１４】
上記従来の課題を解決するために、本発明の冷蔵庫は、扉内箱を庫内側に突出させて扉棚を設けた回転式の扉と、冷蔵庫内を上下に仕切る棚と、前記冷蔵庫内を照射する照明装置とを備え、前記照明装置は、可視光線領域内の波長を発光する発光ダイオードを実装した実装基板を前記冷蔵庫内の前記棚より前方であって前記扉内箱の庫内側に突出した先端部より後方である区間の両側壁面の断熱材中の凹部に庫内後方に向け角度を持たせて配設し、前記両側壁面より照射される前記発光ダイオードの照射範囲を併せて前記棚の面上全体を包含する照射範囲となるように前記発光ダイオードの照射方向と照射角度を定め、かつ前記回転式の扉を観音開き式扉とし、左右いずれか一方の扉を開けると、左右両側壁の前記照明装置がいずれも点灯するようにしたものである。
【手続補正３】
【補正対象書類名】明細書
【補正対象項目名】００１５
【補正方法】変更
【補正の内容】
【００１５】
これによって、観音開き式扉を備えた冷蔵庫内の照明として、収納物の前方両側面からの照射範囲を併せることで棚の全平面上を照射範囲としてほぼ覆う形で広範囲に照射でき、天井面や背面に照明装置を配設した場合と比較して、使用者が扉側前方から見たときに、棚上のいずれの位置に載置された収納物に対しても影が生じにくく、指向性のあるくっきりした照明効果を安定的に得ることができ、収納物の視認性を向上することができる。
【手続補正４】
【補正対象書類名】明細書
【補正対象項目名】００１７
【補正方法】変更
【補正の内容】
【００１７】
請求項１に記載の発明は、扉内箱を庫内側に突出させて扉棚を設けた回転式の扉と、冷蔵庫内を上下に仕切る棚と、前記冷蔵庫内を照射する照明装置とを備え、前記照明装置は、可視光線領域内の波長を発光する発光ダイオードを実装した実装基板を前記冷蔵庫内の前記棚より前方であって前記扉内箱の庫内側に突出した先端部より後方である区間の両側壁面の断熱材中の凹部に庫内後方に向け角度を持たせて配設し、前記両側壁面より照射される前記発光ダイオードの照射範囲を併せて前記棚の面上全体を包含する照射範囲となるように前記発光ダイオードの照射方向と照射角度を定め、かつ前記回転式の扉を観音開き式扉とし、左右いずれか一方の扉を開けると、左右両側壁の前記照明装置がいずれも点灯するようにしたものであり、収納物の前方両側面からの照射範囲を併せることで棚の全平面上を照射範囲としてほぼ覆う形で広範囲に照射でき、使用者が扉側前方から見たときに、棚上のいずれの位置に載置された収納物に対しても影が生じにくく、指向性のあるくっきりした照明効果を安定的に得ることができ、収納物の視認性を向上することができる。
【手続補正５】
【補正対象書類名】明細書
【補正対象項目名】００１８
【補正方法】変更
【補正の内容】
【００１８】
請求項２に記載の発明は、請求項１に記載の発明において、両側壁面それぞれの前記発光ダイオードの照射範囲は、前記発光ダイオードが配置されている側壁面と対向する側壁面に近接する前記棚の前端面の幅方向の端部と、前記棚の後端面の幅方向の中心部と、を少なくとも前記発光ダイオードの照射角度６０°の範囲内に含むように定めたものであり、両側壁面からの照射範囲が比較的バランスを保った形で重ね合わされ、棚の平面上全体をより均一な照明領域としてカバーすることができる。
【手続補正６】
【補正対象書類名】明細書
【補正対象項目名】００２０
【補正方法】変更
【補正の内容】
【００２０】
請求項３に記載の発明は、請求項１または２に記載の発明において、両側壁面それぞれの前記発光ダイオードの照射方向は、前記棚の平面上の中心軸に向かって照射方向の中心線が重なるように定めたものであり、両側壁面それぞれの発光ダイオードの照射方向が使用頻度の高い棚の中央領域の照明量を効果的に確保する方向とされ、その中心軸の左右の照射範囲の広がりを利用して棚の平面上全体を照明範囲としてカバーすることができる。
【手続補正７】
【補正対象書類名】明細書
【補正対象項目名】００２１
【補正方法】変更
【補正の内容】
【００２１】
請求項４に記載の発明は、請求項１から３のいずれか一項に記載の発明において、前記棚を冷蔵庫内の上下方向に複数設け、前記照明装置は、発光ダイオードを複数備え前記複数の棚に跨って冷蔵庫内の上下方向に配置されたものであり、多段に渡って視認性の高いより均一な照明効果が発揮でき、収納物の出し入れや確認等の使い勝手の向上を図ることができる。
【手続補正８】
【補正対象書類名】明細書
【補正対象項目名】００２２
【補正方法】変更
【補正の内容】
【００２２】
請求項５に記載の発明は、請求項４に記載の発明において、前記発光ダイオードを前記棚の相互間に対向するように配置し、かつ前記棚を透光性の棚としたものであり、各段棚上に載置される収納物に対して効果的に照射でき、また、透光性の棚を通じて棚相互間で上下からの光の透過による照射量補充が期待できるために、一層視認性が高く均一な庫内照明が提供できる。